(57)【要約】【課題】  大量のマイナスイオンを簡易に発生させることができ、しかも、衣料の各所に容易に装着可能な衣料用シートを提供する。【解決手段】  衣料用シートは、吸水性が低い織布やウレタンフォーム板等の衣料用シートであって、この衣料用シート素材の表面には、マイナスイオンセラミックパウダーを厚膜印刷用のシリコンインクに混入されたマイナスイオン発生膜２を表面から０．１ｍｍから０．３ｍｍの膜厚で隆起するように固着させている。マイナスイオン発生膜２からは、２０００個／ｃｃ以上のマイナスイオンを発生させる。【選択図】  図１
2010043388.tif 000002
【特許請求の範囲】
【請求項１】
吸水性が低い織布やウレタンフォーム板等の衣料用シートであって、この衣料用シート素材の表面には、マイナスイオンセラミックパウダーを厚膜印刷用のシリコンインクに混入されたマイナスイオン発生膜を０．１ｍｍから０．３ｍｍの膜厚で隆起するように固着させたことを特徴とする衣料用シート。
【請求項２】
マイナスイオン発生膜は、複数個の小片膜を互いに離間させて所定の範囲に配列して構成した請求項１に記載の衣料用シート。
【請求項３】
衣料用シートは、肌着等の身体の肌に面して形成されたポケットに内装され、マイナスイオン発生膜と上記身体の肌との間に肌着等の布地を介在させた請求項１および２のいずれかに記載の衣料用シート。
【請求項４】
マイナスイオン発生膜は、２０００個／ｃｃ以上のマイナスイオンを発生する請求項１および２のいずれかに記載の衣料用シート。
【発明の詳細な説明】
【技術分野】
【０００１】
本発明は、マイナスイオン発生膜を有する衣料用シートに関し、肌着等に装着することにより、身体に向けて２０００個／ｃｃ以上のマイナスイオンを放射する衣料用シートに関する。
【背景技術】
【０００２】
健康維持に対する関心が高まるにつれてマイナスイオンによる効果が注目され、衣料品、ヘアドライヤー、或いはエアコン等の各方面でマイナスイオンを発生させ、個々に実績を出している。
【０００３】
このような背景の中で、本出願人は特開２００６−２６５７８４号公報（特許文献１）により、マイナスイオンを発生させると共に遠赤外線を発生させる肌着を提案し、実用に供されている。
【０００４】
上記特許文献１に示された肌着は、繊維からなる肌着の所定個所には、多数個の小片膜を互いに離間させて所定の範囲に配列して構成した遠赤外線発生膜と、マイナスイオンを発生する主成分がシリコンからなるマイナスイオン発生体を複数個配列したマイナスイオン発生群を肌着の内面に設けている。遠赤外線発生膜からは遠赤外線と同時にマイナスイオンが放射され、身体を適度に暖めることにより保温性を高め、身体の皮膚から放出した汗は、遠赤外線発生膜を構成する小片膜の間から放出される。また、マイナスイオン発生群は、突起部によって人体のつぼを刺激すると共につぼに対してマイナスイオンを発生させるようにしている。
【０００５】
【特許文献１】特開２００６−２６５７８４号公報
【発明の開示】
【発明が解決しようとする課題】
【０００６】
上記特許文献１に示されたマイナスイオン発生素材は、主成分がシリコンから５０個／ｃｃ程度のマイナスイオンを発生させている。この程度の発生量であっても、人体に有益であるとされる森林浴に匹敵する量であり、多少なりとも体内の主として血液のイオンに作用して血液等をマイナスイオン化させて活性化する等の効果があるとされている。しかしながら、その後の追跡研究の結果、身体の不調個所を改善する効果を高めるためには不十分であることがわかってきた。また、マイナスイオンの発生量が少ないために、マイナスイオン発生体を身体の肌に接触させていることから、使用者の一部の人は、ムレによって痒みが生じることがあり、さらに場合によってはかぶれの症状が現れることがあった。
本発明が解決しようとする課題は、大量のマイナスイオンを簡易に発生させることができ、しかも、衣料の各所に容易に装着可能な衣料用シートを提供することにある。
【課題を解決するための手段】
【０００７】
そこで、本発明の請求項１に関わる衣料用シートは、吸水性が低い織布やウレタンフォーム板等の衣料用シートであって、この衣料用シート素材の表面には、マイナスイオンセラミックパウダーを厚膜印刷用のシリコンインクに混入されたマイナスイオン発生膜を表面から０．１ｍｍから０．３ｍｍの膜厚で隆起するように固着させている。
【０００８】
また、請求項２に関わる衣料用シートは、請求項１において、マイナスイオン発生膜を複数個の小片膜を互いに離間させて所定の範囲に配列して構成している。
【０００９】
また、本発明の請求項３に関わる衣料用シートは、請求項１および２において、衣料用シートは、肌着等の身体の肌に面して形成されたポケットに内装され、マイナスイオン発生膜と上記身体の肌との間に肌着等の布地を介在させている。
【００１０】
さらにまた、本発明の請求項４に関わる衣料用シートは、請求項１および２において、マイナスイオン発生膜は、２０００個／ｃｃ以上のマイナスイオンを発生するようにしている。
【発明の効果】
【００１１】
本発明によれば、吸水性が低い衣料用シート素材を用い、その表面にマイナスイオン発生膜を表面から０．１ｍｍから０．３ｍｍの膜厚で隆起するように固着させることによって、マイナスイオン発生膜の体積を大きくすることができることから、マイナスイオンセラミックパウダーから発生するマイナスイオン発生量を大幅に増加させることが可能となる。さらに、マイナスイオン発生膜を衣料用シート素材の表面から隆起させているので、マイナスイオン発生膜の側面からもマイナスイオンを放出させることができ、マイナスイオン発生量を一層増加させることができる。
【００１２】
また、マイナスイオン発生膜を複数個の小片膜を互いに離間させて所定の範囲に配列することにより、小片膜の間からは、皮膚から放出される水蒸気を通過させることができ、ムレが抑制されるため、痒みの発生やかぶれの発生を予防することが可能となる。さらに、小片膜の面積や隣接する小片膜の間隔を適宜の大きさに設定して配列することにより、マイナスイオン発生量を任意に調整することが可能となる。
【００１３】
さらに、衣料用シートは、肌着等の身体の肌に面して形成されたポケットに内装して、マイナスイオン発生膜と身体の肌との間に肌着等の布地を介在させることにより、マイナスイオン発生膜が直接肌に接触しないので、痒みの発生やかぶれの発生、或いは、摺れることによる肌等の損傷を未然に防止することが可能となる。
【００１４】
さらにまた、衣料用シートに、０．１ｍｍから０．３ｍｍの膜厚のマイナスイオン発生膜を隆起させて固着形成することにより、２０００個／ｃｃ以上のマイナスイオンを発生することができる。因みに、マイナスイオンを受けることによりリラクゼーション効果を導き、種々の治癒効果があるとされる森林浴の場合、約２００個／ｃｃと公表されているが、本発明によるマイナスイオン発生膜からは、約１０倍に相当するマイナスイオンが発生し、人体にマイナス電位効果を与えるので、身体の不調個所の改善に対して効果を発揮することが可能となる。
【発明を実施するための最良の形態】
【００１５】
衣料用シートは、吸水性が低い織布やウレタンフォーム板等の素材が使用される。この衣料用シート素材の表面には、マイナスイオンセラミックパウダーを厚膜印刷用のシリコンインクに混入されたマイナスイオン発生膜を表面から０．１ｍｍから０．３ｍｍの膜厚で隆起するように固着させている。そして、マイナスイオン発生膜は、複数個の小片膜を互いに離間させて所定の範囲に配列するように構成することが望ましい。また、衣料用シートは、マイナスイオン発生膜が衣料用シート素材の表面から隆起していることから、身体の肌との摩擦を防止するためにも、肌着等の身体の肌に面して形成されたポケットに内装し、マイナスイオン発生膜と肌との間に肌着等の布地を介在させることが望ましい。さらに、衣料用シートのマイナスイオン発生膜の膜厚を０．１ｍｍから０．３ｍｍに形成することにより２０００個／ｃｃ以上のマイナスイオンを発生させることが可能となる。
【００１６】
以下、図面に基づいて本発明の実施例を詳細に説明する。図１及び図２は、本発明に関わる衣料用シートの第１の実施例として、図５に示すブラジャーの内側に装着するパット１に適用した例を示している。衣料用シートとしてのパット１は、吸水性が低い織布やウレタンフォーム板等の素材が使用される。ボリューム感と弾力感を出すためには、ウレタンフォーム板が望ましい。なお、ウレタンフォーム板を肌触りが良い布で包囲しても良い。なお、パット１の形状は、周知のパットと同様に、半球状のカップ、または、変形した楕円形の布団のような形状に形成されている。
【００１７】
このようなパット１の一方側のほぼ全表面には、マイナスイオン発生膜２が形成されている。なお、カップ形状のパットの場合は、凹面となった内面がほぼ全表面となる。マイナスイオン発生膜２は、マイナスイオンセラミックパウダーが厚膜印刷用のシリコンインクに混入されていて、図３に示すように、パット１の表面から０．１ｍｍから０．３ｍｍの膜厚ｔで隆起するように固着させている。ここで、吸水性が低い素材とは、上記マイナスイオン発生膜２が素材の一方表面付近に浸漬する程度であり、内方に深く浸漬しない素材をいう。
【００１８】
マイナスイオン発生膜２は、多数個の六角形状に形成した小片膜２ａを互いに離間した状態で所定の範囲に配列することにより構成されている。これらの小片膜２ａの寸法は、対向する辺の長さを約３ｍｍ乃至１５ｍｍに設定している。また、小片膜２ａを離間させる寸法は、約０．５ｍｍ乃至１０ｍｍに設定している。小片膜２ａの寸法が３ｍｍ以下のときは、マイナスイオンの放射量が小さくなり、所定の効果が得られず、１５ｍｍ以上のときは、放射量が大きくなるものの小片膜２ａによって表面が覆われるために肌触りが悪化すると共に、小片膜２ａに汗が付着して放出されなくなる恐れがある。一方、小片膜２ａの離間寸法が０．５ｍｍ以下のときは、汗を放出する面積が小さくなり放出効率が悪化し、１０ｍｍ以上のときは、この部分に小片膜２ａが存在しないことから、身体に対するマイナスイオンの放射量が小さくなる。
【００１９】
次に、マイナスイオン発生膜２の形成方法について説明する。まず、厚膜印刷用のシリコンインク（タナカケミカル株式会社製）にマイナスイオンセラミックパウダー（エコホリラック社製）を均一に分散するように混入して撹拌し、ゲル状のスクリーン印刷用インク３を作成する。厚膜印刷用のシリコンインクとマイナスイオンセラミックパウダーの比率は、各々約５０％が望ましい。なお、スクリーン印刷用インク３内には、必要に応じて着色顔料を混入しても良く、また、その他不可避的な素材が混入される。そして、スクリーン印刷用インク３は、図４に示すように、スクリーン印刷法によってパット１の一方側に対して印刷塗布される。すなわち、スクリーン４には、多数配列された上記小片膜２ａと同じ形状の開口部４ａと、これらの開口部４ａに隣接させたマスク部４ｂが形成されている。また、スクリーン４の板厚は、マイナスイオン発生膜２とほぼ同じ０．１ｍｍから０．３ｍｍに設定されている。なお、固化した後の収縮を考慮する場合は、スクリーン４の板厚は、マイナスイオン発生膜２よりやや大きくすることが望ましい。
【００２０】
そして、パット１の表面にスクリーン４を載せた後に、スキージ５を移動することによってスクリーン印刷用インク３が開口部４ａを通してパット１に移行して塗布される。この結果、スクリーン印刷用インク３は、図３に示すように、パット１の表面に小片膜２ａが形成される。このとき、パット１の素材の吸水性が低いことから、小片膜２ａは、表面に付着することにより接着される。その後、スクリーン印刷用インク３を約摂氏８０度の環境にて固化させることによって０．１ｍｍから０．３ｍｍのマイナスイオン発生膜２が形成される。
【００２１】
このように形成されたマイナスイオン発生膜２からは、マイナスイオンが放射される。このマイナスイオンの量は、温度が摂氏２０度、湿度３０％乃至５０％の環境において測定したところ、少なくとも２０００ＮＳ／ｃｃ以上が発生している。実測したところ、５０６１ＮＳ／ｃｃに達したものもあった。このように、マイナスイオンが２０００ＮＳ／ｃｃ以上発生する理由としては、マイナスイオンセラミックパウダー自体がマイナスイオンを発生する他、スクリーン印刷用インク３に使用した厚膜印刷用のシリコンインクからもマイナスイオンするためであり、さらに、マイナスイオン発生膜２の膜厚を０．１ｍｍから０．３ｍｍに設定したことにより、マイナスイオン発生膜２の体積が大きくなり、しかも、パット１の表面から隆起させたことによりマイナスイオン発生膜２から直接放射されることが考えられる。マイナスイオン発生量の測定機器は、エコホリラック社製のＩＯＮ  ＴＥＳＴＥＲを使用した。
【００２２】
図５は、上述したパット１を肌着としてのブラジャー６に装着した例を示している。このブラジャー６の構成は周知であり、本発明に関係する構成のみを説明し、その他の構成については省略する。図５に示すブラジャー６において、土台部６ａに設けられた一対のカップ部６ｂの内面側には、パッド収納用のポケット６ｃが設けられている。ポケット６ｃは、伸縮自在なメリヤス生地や経編生地等の伸縮性生地で構成されている。また、ポケット６ｃの上方には、開口部６ｄが形成されている。
【００２３】
そして、上述したパット１をブラジャー６のポケット６ｃに装着する。このとき、パット１に形成したマイナスイオン発生膜２は、図６に示すように、ポケット６ｃの生地側に面している。従って、マイナスイオン発生膜２は人体の肌に対向している。このとき、パット１から隆起したマイナスイオン発生膜２は、ポケット６ｃの生地によって覆われるので、マイナスイオン発生膜２が肌に直接接触することがない。このように、マイナスイオン発生膜２の表面にポケット６ｃの生地が介在しても、ポケット６ｃの生地の外面側に放射されるマイナスイオン発生量は少なくとも２０００ＮＳ／ｃｃ以上となっている。
【００２４】
図７は、本発明の他の実施例を示し、衣料用シートとして、Ｔシャツ等の肌着７の内面にマイナスイオン発生膜を直接形成したものである。この例においては、肌着７の胸部に対応する個所と腹部に対応する個所の２個所にマイナスイオン発生膜を形成している。まず、肌着７の胸部に対応する左右に形成したマイナスイオン発生膜２１は、三重円に形成している。また、腹部の形成したマイナスイオン発生膜２２は、上述したパット１と同様に、多数個の六角形状に形成した小片膜２２ａを互いに離間した状態で所定の範囲に配列することにより構成されている。いずれのマイナスイオン発生膜２１、２２も、前述したパット１に形成したマイナスイオン発生膜２と同様に、スクリーン印刷用インク３をスクリーン印刷法によって印刷した後、約摂氏８０度の環境にて固化させることによって０．１ｍｍから０．３ｍｍの膜厚のマイナスイオン発生膜を形成している。この実施例の場合も、マイナスイオン発生量は少なくとも２０００ＮＳ／ｃｃ以上となっている。
【００２５】
以上、本発明を実施例に基づき具体的に説明したが、本発明は上記実施例に限定されるものではなく、その要旨を逸脱しない範囲で種々変形可能であることは言うまでもない。前述した実施例においては、肌着としてブラジャーおよびＴシャツを例示して説明したが、これらの形状や構成は適宜に変更可能である。また、マイナスイオン発生膜を設ける位置や大きさについても適宜に変更可能である。さらに、肌着としては、その他、ズボン下、靴下、ショーツ、等々に適用可能であり、この場合、マイナスイオン発生膜は適宜の位置や大きさに設けることができる。
【産業上の利用可能性】
【００２６】
本発明は、ブラジャーやＴシャツ或いはパンツ等の肌着に適用可能である。
【図面の簡単な説明】
【００２７】
【図１】本発明に関わる実施例として衣料用シートとしてのパットに適用した例を示す平面図である。
【図２】図１に示したパットの断面図である。
【図３】図１に示したパットの拡大断面図である。
【図４】衣料用シートの表面にマイナスイオン発生膜をスクリーン印刷法によって印刷する状態を示す説明図である。
【図５】図１に示したパットをブラジャーに装着した状態を示す正面図である。
【図６】図５に示すブラジャーにパットを装着した状態を示す部分拡大断面図である。
【図７】本発明に関わる他の実施例として衣料用シートとしてのＴシャツにマイナスイオン発生膜を形成した例を示す正面図である。
【符号の説明】
【００２８】
１      パット（衣料用シート）
２      マイナスイオン発生膜
２ａ    小片膜
６      ブラジャー
７      肌着
【図１】
2010043388.tif 000003
【図２】
2010043388.tif 000004
【図３】
2010043388.tif 000005
【図４】
2010043388.tif 000006
【図５】
2010043388.tif 000007
【図６】
2010043388.tif 000008
【図７】
2010043388.tif 000009